(57)【特許請求の範囲】
【請求項１】
二世帯住宅に設けられて世帯内および世帯間で内線通話を行うためのインターホンシステムであって、
各世帯には、宅外に設置されるカメラ付きドアホンを含む子器と、カメラ付きドアホンとの間で通話を行うための通話手段及び子器で撮影された映像を表示するための映像表示手段を具備して宅内に設置されるインターホン親機と、インターホン親機の副親機接続端子に接続され、インターホン親機を介して音声信号を授受することによってカメラ付きドアホンとの間で通話を行う通話手段及びインターホン親機を介して入力された子器の映像信号をもとに子器の映像を表示するための映像表示手段を具備して宅内に設置されるインターホン副親機とがそれぞれ設けられ、
各世帯のインターホン親機に、子器が接続される子器接続端子と、インターホン副親機及び他世帯のインターホン親機が接続される副親機接続端子と、子器接続端子又は副親機接続端子から入力される映像信号を復調して映像表示手段に表示させる映像復調手段と、当該インターホン親機の動作モードを、同一世帯の子器から子器接続端子を介して入力される映像信号を映像復調手段及び副親機接続端子に出力させる親機モード、又は、他世帯のインターホン親機から副親機接続端子を介して入力される他世帯の子器の映像信号を映像復調手段に出力させる副親機モードの何れかに切り替える親機／副親機切替手段とを設けたことを特徴とするインターホンシステム。
【請求項２】
前記インターホン親機に、他世帯のインターホン親機との間で信号の授受を可能にする二世帯モード、又は、他世帯のインターホン親機との間で信号の授受を遮断する独立世帯モードの何れかに切り替える通信モード切替手段を設けたことを特徴とする請求項１記載のインターホンシステム。
【請求項３】
前記子器として、所定の検知エリアでの環境変化を検知すると、検知エリアを含む所定の撮影エリアを撮影するカメラ子器を備えるとともに、前記インターホン親機は、他世帯のインターホン親機が接続される副親機接続端子への信号の入出力をオン／オフする内線スイッチを備え、独立世帯モードに切り替えられた状態でカメラ付きドアホンからの呼出又はカメラ子器による環境変化の検知入力があると前記内線スイッチをオフさせるとともに、独立世帯モードに切り替えられた状態でカメラ付きドアホンの呼出及びカメラ子器による環境変化の検知が無い場合並びに二世帯モードに切り替えられた状態では前記内線スイッチをオンさせることを特徴とする請求項２記載のインターホンシステム。
【請求項４】
前記親機／副親機切替手段は、他世帯のインターホン親機から切替信号が入力されなければ、動作モードを親機モードに切り替えるとともに、同一世帯のカメラ付きドアホンからの呼出信号を検知すると、呼出を通知するための制御信号を副親機接続端子から出力させるとともに、動作モードを副親機モードに切り替えさせる切替信号を他世帯のインターホン親機に対して出力することを特徴とする請求項１乃至３の何れか１項に記載のインターホンシステム。
【請求項５】
呼出信号を出力したカメラ付きドアホンと、前記制御信号を受信した他世帯のインターホン親機又はインターホン副親機との間で呼出応答が行われた後、呼出応答が終了すると、他世帯のインターホン親機の親機／副親機切替手段は、動作モードを副親機モードから親機モードに切り換えることを特徴とする請求項４記載のインターホンシステム。
【発明の詳細な説明】
【技術分野】
【０００１】
本発明は、二世帯住宅で用いられるインターホンシステムに関するものである。
【背景技術】
【０００２】
近年、１つの住宅に親世帯と子世帯とが同居する２世帯住宅が普及してきており、このような二世帯住宅では、各々の世帯で個別に来客に応対できるように、各世帯にインターホンシステムを設置していた。
【０００３】
二世帯住宅の世帯間でプライバシーを確保するためには、各々の世帯に別個のインターホンシステムを設置し、世帯間のインターホン通話を行えないようにすることが好ましいが、例えば留守中の世帯に来客があった場合に他方の世帯で代わりに応答したり、世帯間でインターホン通話を行いたい場合もあり、状況に応じて動作モードを、世帯内通話のみが可能な通常モードと、世帯間通話が可能な留守モードとに切り換え可能にした二世帯住宅用のインターホンシステムが従来提案されていた（例えば特許文献１参照）。
【０００４】
上記文献に開示されたインターホンシステムでは、一方の世帯のみにインターホン親機を配置するとともに、当該インターホン親機に、各世帯のカメラ付きドアホン（以下、ドアホン子器）と、各世帯に設置された複数台のインターホン副親機とをそれぞれ接続してある。そして、インターホン親機及びインターホン副親機には、一方の世帯の第１のグループに属するか、他方の世帯の第２のグループに属するか、或いは、一方の世帯と他方の世帯を纏めた第３のグループに属するかを設定する切替スイッチを設けてあり、何れかの世帯のドアホン子器で呼出釦が押され、ドアホン子器からの呼出信号が親機を介して副親機に送られた場合、親機及び副親機では、切替スイッチの設定を参照し、自グループのドアホン子器からの呼出信号が入力された場合のみ呼出音を鳴動させるとともに、呼出に対する応答も自グループのドアホン子器との間でしか行えないようにしている。また親機又は副親機の何れかで切替スイッチにより第３のグループに設定された場合は、システム全体が留守モードに切り換えられて世帯間通話が可能になるので、留守中の世帯のドアホン子器で呼出釦が押された場合は、在宅中の世帯の親機又は副親機で応答することができる。
【０００５】
しかしながら、上記文献に開示されたインターホンシステムでは、片方の世帯にしかインターホン親機が設けられていないため、片方の世帯で停電が発生したり、インターホン親機が故障したりすると、もう一方の世帯でもインターホンシステムが使用できなくなるという問題があった。
【０００６】
そこで、図７のシステム構成図に示すように二世帯住宅の各世帯Ａ１，Ａ２に、住戸外に設置されるカメラ付ドアホン（以下、ドアホン子器という。）３と、住戸内に設置されてドアホン子器３との間で信号線Ｌｓ１を介して音声信号を授受するとともに映像信号が入力されるインターホン親機１（以下、親機と略称す。）と、監視領域を撮像した映像を信号線Ｌｓ１を介して親機１に伝送するカメラ子器４と、住戸内に設置され平衡２線式の伝送線路Ｌｓ２を介して親機１に接続されるインターホン副親機（以下、副親機と略称す。）２ａ，２ｂ，２ｃ…とで構成されるインターホンシステムを設け、各世帯Ａ１，Ａ２の親機１，１間を信号線Ｌｓ３で接続することによって、世帯間通話を行えるようにしたシステムも従来提案されている。
【０００７】
親機１は、図８に示すように、マイク１０ａ並びにスピーカ１０ｂと、２線−４線変換回路を含み、マイク１０ａから出力される音声信号を信号処理して後述の多重分離回路１６ａ，１６ｃ，２１に出力するとともに、多重分離回路１６ａ，１６ｃ，２１から入力される音声信号を信号処理してスピーカ１０ｂから音声を鳴動させ、さらに副親機２ａ〜２ｎ並びにカメラ子器４との間でＦＳＫ方式により制御信号を伝送する制御・音声変復調回路１１と、映像表示用のモニタ１２と、ドアホン子器３又はカメラ子器４から送られた映像信号を復調してモニタ１２に表示させる映像変復調回路１３と、各種の操作（呼出信号への応答操作、所望のドアホン子器３の映像をモニタするための操作、副親機２ａ…の呼出操作）を行うための操作部１４と、伝送線路Ｌｓ１の線間電圧を監視してドアホン子器３から送信される呼出信号を受信する呼出信号受信回路１５と、制御・音声変復調回路１１から入力される音声信号及び制御信号を周波数多重化して信号線Ｌｓ１に出力するとともに、信号線Ｌｓ１を介して入力される多重化信号から音声信号を分離して制御・音声変復調回路１１に出力する多重分離回路１６ａと、ドアホン子器３或いはカメラ子器４から信号線Ｌｓ１を介して入力される多重化信号から映像信号を分離して映像変復調回路１３に出力する多重分離回路１６ｂと、制御・音声変復調回路１１から入力される音声信号及び制御信号を周波数多重化して伝送線Ｌｓ２に出力するとともに、副親機２ａ〜２ｎから伝送線Ｌｓ２を介して入力される多重化信号から音声信号及び制御信号を分離して制御・音声変復調回路１１に出力する多重分離回路１６ｃと、多重分離回路１６ｂにより分離された映像信号を再び周波数多重化して伝送線Ｌｓ２に出力する多重分離回路１６ｄと、マイコンを主構成要素として全体的な動作制御を行う制御部１７と、世帯間で音声信号および映像信号を送受するための世帯間通話回路２０とを備えている。
【０００８】
なお親世帯Ａ１の親機１と子世帯Ａ２の親機１とは信号線Ｌｓ３を介して接続されており、世帯間通話回路２０は、制御・音声変復調回路１１又は多重分離回路１６ａ，１６ｃから入力される音声信号及び制御信号を多重化して信号線Ｌｓ３に出力するとともに、信号線Ｌｓ３を介して入力される周波数多重化信号から音声信号及び制御信号を分離して制御・音声変復調回路１１又は多重分離回路１６ａ，１６ｃに出力する多重分離回路２１と、信号線Ｌｓ３を介して入力される周波数多重化信号より他世帯のドアホン子器３或いはカメラ子器４からの映像信号を分離するとともに、同じ世帯のドアホン子器３或いはカメラ子器４から入力される映像信号を多重化し信号線Ｌｓ３を介して他世帯の親機１へ出力する多重分離回路２２と、当該多重分離回路２２と映像変復調回路１３との間に設けられ、多重分離回路２２から映像変復調回路１３への映像信号の入力をオン／オフするスイッチ２３と、映像変復調回路１３と多重分離回路２２との間に設けられ、映像変復調回路１３側（すなわちドアホン子器３又はカメラ子器４）から多重分離回路２２への映像信号の入力をオン／オフするスイッチ２４とを備えている。
【０００９】
ここで、従来のインターホンシステムによる通話応答について以下に説明する。先ず親世帯Ａ１のドアホン子器３からの呼出に、親世帯Ａ１の親機１又は副親機２ａで応答する場合について説明を行う。親機１からドアホン子器３への給電電圧（直流電圧）は、ドアホン子器３が通話状態或いは後述するモニタ状態の何れでもないときはシステムの消費電力を低減するために相対的に低い状態（この状態を待機給電状態と言う。）とされ、通話状態やモニタ状態では相対的に高い状態（この状態を動作給電状態と言う。）とされる。尚、カメラ子器４には商用電源から動作電力が供給されている。
【００１０】
ドアホン子器３では、待機給電状態において呼出釦３ａが操作されると、信号線Ｌｓ１の線間電圧を待機給電状態よりもさらに低い電圧に低下させることで親機１に呼出信号を伝送する。親機１では、呼出信号受信回路１５が信号線Ｌｓ１の線間電圧をモニタすることによって呼出信号を検出しており、呼出信号を受信して制御部１７に出力すると、制御部１７が信号線Ｌｓ１への給電電圧を待機給電状態から動作給電状態に移行させるとともに、スピーカ１０ｂにより呼出信号を鳴動させ、また多重分離回路１６ｃを介して副親機２ａ〜２ｎに呼出信号を鳴動させるための制御信号を送信させることによって、親機１および副親機２ａ〜２ｎから呼出信号を鳴動させる。
【００１１】
ドアホン子器３では、給電状態が動作給電状態に切り替えられると、内蔵のカメラを起動して当該カメラの映像信号を信号線Ｌｓ１を介して親機１に送信すると共に、音声信号処理部を起動して音声信号の授受、すなわち通話が可能な状態に切り替えている。この時、親機１では多重分離回路１６ｂが分離した映像信号を映像変復調回路１３が復調してモニタ１２に表示させるとともに、多重分離回路１６ｄが映像信号を再度多重化して副親機２ａ〜２ｎに出力することによって、副親機２ａ〜２ｎのモニタ２５にドアホン子器３のカメラで撮像された映像が表示されるようになっている。
【００１２】
そして、呼出信号を聞いた家人が親機１又は副親機２ａ〜２ｎの応答釦１４ａ，２６を操作すると、応答釦１４ａ，２６が操作された親機１又は副親機２ａ〜２ｎとドアホン子器３との間で通話路が形成され、宅内の家人はモニタ１２，２５の映像を見ながら、来客と通話を行うことができる。
【００１３】
また、図７及び図８に示すインターホンシステムでは、何れかの世帯が留守中で来客への対応ができない場合に、一方の世帯のドアホン子器３からの呼出に、他方の世帯の親機１又は副親機２ａ〜２ｎで応答することができるようになっている。すなわち、各世帯Ａ１，Ａ２の親機１では、留守設定を行うための操作部１４の設定操作に応じて、世帯間通話回路２０のスイッチ２３，２４を切り替えており、在宅時にはスイッチ２３をオン、スイッチ２４をオフにして、他世帯から送られた映像信号を多重分離回路２２により分離して映像変復調回路１３に入力させ、他世帯のドアホン子器３との通話を可能にしている。また各世帯Ａ１，Ａ２の親機１では、留守設定時にはスイッチ２３をオフ、スイッチ２４をオンにして、同じ世帯のドアホン子器３又はカメラ子器４からの映像信号を多重分離回路２２により多重化して信号線Ｌｓ３に出力させており、同じ世帯のドアホン子器３と他世帯の親機１又は副親機２ａ〜２ｎとの間で通話を行えるようにしている。
【００１４】
ここで、親機１で留守設定が行われた世帯Ａ１のドアホン子器３で呼出釦３ａが押操作されると、当該世帯Ａ１の呼出信号受信回路１５が呼出信号を受信して制御部１７に出力し、制御部１７がドアホン子器３への給電状態を動作給電状態に切り替えて、スピーカ１０ｂから呼出音を鳴動させるとともに、呼出音を鳴動させるための制御信号を多重分離回路１６ｃ，２１により多重化させ、同じ世帯の副親機２ａ〜２ｎ及び他世帯Ａ２の親機１並びに副親機２ａ〜２ｎに出力することによって、２つの世帯Ａ１，Ａ２の親機１及び副親機２ａ〜２ｎより呼出音を鳴動させている。また世帯Ａ１のドアホン子器３は、給電状態が動作給電状態に切り替えられると、カメラを起動してカメラの映像信号を親機１に出力しており、世帯Ａ１の親機１では自機のモニタ１２に映像を表示させるとともに、副親機２ａ〜２ｎのモニタに映像を表示させ、さらに映像信号を世帯間通話回路２０から他世帯Ａ２の親機１及び副親機２ａ〜２ｎに出力させて、他世帯Ａ２の親機１及び副親機２ａ〜２ｎに映像を表示させている。そして、他世帯Ａ２の家人が呼出音を聞いて、親機１又は副親機２ａ〜２ｎの応答釦１４ａ，２６を押操作すると、応答釦１４ａ，２６が押操作された他世帯Ａ２の親機１又は副親機２ａ〜２ｎと、世帯Ａ１のドアホン子器３との間で世帯Ａ１のインターホン親機１を介して通話路が形成され、留守世帯のドアホン子器３と、在宅世帯の親機１又は副親機２ａ〜２ｎとの間で通話を行えるようになっている。
【特許文献１】特許第３６１７２７１号公報
【発明の開示】
【発明が解決しようとする課題】
【００１５】
上述した従来のインターホンシステムでは、２世帯住宅の各世帯Ａ１，Ａ２に個別のインターホンシステムを設置し、各世帯Ａ１，Ａ２の親機１に世帯間通話回路２０を設けることによって、世帯間の通話を可能にしているので、例えば一方の世帯のインターホンシステムに異常が発生したとしても、他方の世帯のインターホンシステムが影響を受けることはなく、また特許文献１に開示されたインターホンシステムのように、個々の副親機にグループ設定を行う必要がないから、設定の手間が少なくて済むという利点はあるが、親機１から同一世帯の副親機２ａ〜２ｎへの映像信号の伝送は片方向通信であるのに対して、世帯間での映像信号の伝送は双方向通信のため、多重分離回路２１，２２を備えた専用の世帯間通話回路２０が必要になり、親機１のコストアップを招くとともに、回路規模が大きくなって親機１の小型化の妨げになるという問題があった。
【００１６】
本発明は上記問題点に鑑みて為されたものであり、その目的とするところは、二世帯住宅の各世帯に設けたインターホン親機の小型化及び低コスト化を図ったインターホンシステムを提供することにある。
【課題を解決するための手段】
【００１７】
上記目的を達成するために、請求項１の発明は、二世帯住宅に設けられて世帯内および世帯間で内線通話を行うためのインターホンシステムであって、各世帯には、宅外に設置されるカメラ付きドアホンを含む子器と、カメラ付きドアホンとの間で通話を行うための通話手段及び子器で撮影された映像を表示するための映像表示手段を具備して宅内に設置されるインターホン親機と、インターホン親機の副親機接続端子に接続され、インターホン親機を介して音声信号を授受することによってカメラ付きドアホンとの間で通話を行う通話手段及びインターホン親機を介して入力された子器の映像信号をもとに子器の映像を表示するための映像表示手段を具備して宅内に設置されるインターホン副親機とがそれぞれ設けられ、各世帯のインターホン親機に、子器が接続される子器接続端子と、インターホン副親機及び他世帯のインターホン親機が接続される副親機接続端子と、子器接続端子又は副親機接続端子から入力される映像信号を復調して映像表示手段に表示させる映像復調手段と、当該インターホン親機の動作モードを、同一世帯の子器から子器接続端子を介して入力される映像信号を映像復調手段及び副親機接続端子に出力させる親機モード、又は、他世帯のインターホン親機から副親機接続端子を介して入力される他世帯の子器の映像信号を映像復調手段に出力させる副親機モードの何れかに切り替える親機／副親機切替手段とを設けたことを特徴とする。
【００１８】
請求項２の発明は、請求項１の発明において、インターホン親機に、他世帯のインターホン親機との間で信号の授受を可能にする二世帯モード、又は、他世帯のインターホン親機との間で信号の授受を遮断する独立世帯モードの何れかに切り替える通信モード切替手段を設けたことを特徴とする。
【００１９】
請求項３の発明は、請求項２の発明において、子器として、所定の検知エリアでの環境変化を検知すると、検知エリアを含む所定の撮影エリアを撮影するカメラ子器を備えるとともに、インターホン親機は、他世帯のインターホン親機が接続される副親機接続端子への信号の入出力をオン／オフする内線スイッチを備え、独立世帯モードに切り替えられた状態でカメラ付きドアホンからの呼出又はカメラ子器による環境変化の検知入力があると内線スイッチをオフさせるとともに、独立世帯モードに切り替えられた状態でカメラ付きドアホンの呼出及びカメラ子器による環境変化の検知が無い場合並びに二世帯モードに切り替えられた状態では内線スイッチをオンさせることを特徴とする。
【００２０】
請求項４の発明は、請求項１乃至３の何れかの発明において、親機／副親機切替手段は、他世帯のインターホン親機から切替信号が入力されなければ、動作モードを親機モードに切り替えるとともに、同一世帯のカメラ付きドアホンからの呼出信号を検知すると、呼出を通知するための制御信号を副親機接続端子から出力させるとともに、動作モードを副親機モードに切り替えさせる切替信号を他世帯のインターホン親機に対して出力することを特徴とする。
【００２１】
請求項５の発明は、請求項４の発明において、呼出信号を出力したカメラ付きドアホンと、制御信号を受信した他世帯のインターホン親機又はインターホン副親機との間で呼出応答が行われた後、呼出応答が終了すると、他世帯のインターホン親機の親機／副親機切替手段は、動作モードを副親機モードから親機モードに切り換えることを特徴とする。
【発明の効果】
【００２２】
請求項１の発明によれば、親機／副親機切替手段によってインターホン親機の動作モードが親機モードに切り替えられた場合は、自世帯の子器の映像信号を副親機接続端子に接続された他世帯の親機に送信でき、また動作モードが副親機モードに切り替えられた場合は、他世帯の親機から副親機接続端子に入力された映像信号を映像復調手段により復調して映像表示手段に表示させることができるので、従来の二世帯住宅用のインターホン親機のように、世帯間の通信のために双方向で映像信号を送受信するための回路を別途設ける必要が無く、回路規模を小さくして小型化を図ることができるとともに、コストダウンを図れるという効果がある。
【００２３】
請求項２の発明によれば、インターホン親機が独立世帯モードで動作中は、他世帯のインターホン親機との間で信号の授受が遮断されるので、世帯間のプライバシーを保つことができ、また留守時にはインターホン親機の通信モードを二世帯モードに切り替えることで、自世帯のカメラ付きドアホンからの呼出に、他世帯のインターホン親機から応答させることが可能になるという利点がある。
【００２４】
請求項３の発明によれば、独立世帯モードに切り替えられた状態でカメラ付きドアホンからの呼出又はカメラ子器による環境変化の検知入力があると内線スイッチをオフさせているので、子器の映像が他世帯の親機側に送信されるのを防止して、世帯間のプライバシーを保つことができ、またそれ以外の状態では内線スイッチがオンになっているので、世帯間で信号を授受することができる。
【００２５】
請求項４の発明によれば、各世帯のインターホン親機は、同じ世帯のカメラ付きドアホンからの呼出信号を検知すると、動作モードを副親機モードに切り替えさせる切替信号を他世帯のインターホン親機に対して出力しているので、カメラ付きドアホンからの呼出に対して他世帯のインターホン親機で応答させることができる。
【００２６】
請求項５の発明によれば、呼出応答の終了後に動作モードが親機モードに切り換えられるので、各世帯のインターホン親機を親機モードで動作させることによって、自世帯のカメラ付きドアホンからのドアホン呼出に応答させることができる。
【発明を実施するための最良の形態】
【００２７】
以下に本発明の実施の形態を図１〜図６に基づいて説明する。本実施形態のインターホンシステムは二世帯住宅に用いられ、二世帯住宅の二つの世帯Ａ１，Ａ２内での内線通話や、世帯Ａ１，Ａ２間での内線通話を行えるようにしている。尚、図１の例では世帯Ａ１が親世帯、世帯Ａ２が子世帯となっている。
【００２８】
各世帯Ａ１，Ａ２には、図２に示すように、住戸外（例えば玄関など）に設置される１乃至複数台のカメラ付きドアホン（以下、ドアホン子器と言う。）３と、所定の検知エリアでの環境変化を検出すると、検知エリアを含む所定の撮影エリアを撮影するカメラ子器４と、マイク１０ａ及びスピーカ１０ｂとモニタ１２（映像表示手段）を有し、ドアホン子器３との間でマイク１０ａ及びスピーカ１０ｂを用いて通話を行うとともに、子器（ドアホン子器３及びカメラ子器４）で撮影された映像をモニタ１２に表示させるインターホン親機（以下、親機と略称す。）１と、スピーカ及びマイクとモニタ２５（映像表示手段）を有し、親機１に伝送線Ｌｓ２を介して接続され、親機１を介してドアホン子器３との間でスピーカ及びマイクを用いて通話を行うとともに、子器で撮影された映像をモニタ１２に表示させるインターホン副親機（以下、副親機と略称す。）２ａ，２ｂ…２ｎとがそれぞれ設けられている。
【００２９】
そして、各世帯Ａ１，Ａ２の親機１は、図１に示すように、子器（ドアホン子器３及びカメラ子器４）が接続される複数の子器接続端子Ｔ１と、副親機２ａ…２ｎ及び他世帯の親機１が接続される複数の副親機接続端子Ｔ２（Ｔ２ａ，Ｔ２ｂ）と、マイク１０ａ並びにスピーカ１０ｂと、２線−４線変換回路を含みマイク１０ａから出力される音声信号を信号処理して後述の多重分離回路１６ａ，１６ｃに出力するとともに、多重分離回路１６ａ，１６ｃから入力される音声信号を信号処理してスピーカ１０ｂから音声を鳴動させ、さらに副親機２ａ〜２ｎ並びにカメラ子器４との間でＦＳＫ方式により制御信号を伝送する制御・音声変復調回路１１と、例えば液晶ディスプレイからなるモニタ１２（映像表示手段）と、後述の多重分離回路１６ｂ，１６ｄから入力される映像信号を復調してモニタ１２に表示させる映像変復調回路１３（映像復調手段）と、各種の操作（呼出信号への応答操作、所望のドアホン子器３の映像をモニタするための操作、副親機２ａ…の呼出操作）を行うための操作部１４と、伝送線路Ｌｓ１の線間電圧を監視することによってドアホン子器３又はカメラ子器４からの呼出信号を受信する呼出信号受信回路１５と、制御・音声変復調回路１１から入力される音声信号及び制御信号を周波数多重化して信号線Ｌｓ１に出力するとともに、信号線Ｌｓ１を介して入力される多重化信号から音声信号を分離して制御・音声変復調回路１１に出力する多重分離回路１６ａと、ドアホン子器３又はカメラ子器４から信号線Ｌｓ１を介して入力される多重化信号から映像信号を分離して映像変復調回路１３に出力する多重分離回路１６ｂと、制御・音声変復調回路１１から入力される音声信号及び制御信号を周波数多重化して伝送線Ｌｓ２に出力するとともに、副親機２ａ〜２ｎから伝送線Ｌｓ２を介して入力される多重化信号から音声信号及び制御信号を分離して制御・音声変復調回路１１に出力する多重分離回路１６ｃと、多重分離回路１６ｂにより分離された映像信号を再び周波数多重化して伝送線Ｌｓ２に出力するとともに、副親機接続端子Ｔ２を介して入力される伝送信号より映像信号を分離して映像変復調回路１３に出力する多重分離回路１６ｄと、マイコンを主構成要素として全体的な動作制御を行う制御部１７とを備えている。ここにおいて、マイク１０ａ及びスピーカ１０ｂと制御・音声変復調回路１１とで通話手段が構成される。
【００３０】
ここで、親機１では子器接続端子Ｔ１を３系統備えているのに対して映像信号を受信して処理する映像変復調回路１３を一つしか持たないので、映像信号同士の衝突を回避するために時分割多重伝送方式を採用しており、制御部１７から伝送線Ｌｓ１を介して伝送する制御信号によって規定される複数のタイムスロットにドアホン子器３及びカメラ子器４を個別に割り当て、それぞれの子器３，４が自器に割り当てられたタイムスロットで映像信号を送信し、親機１の映像変復調回路１３において各タイムスロットで受信し且つ復調した映像信号から元の映像を再構成してモニタ１２に表示させている。尚、時分割多重伝送の詳細については従来周知であるから説明を省略する。
【００３１】
また親機１は、通常のインターホン親機として動作する親機モードと、副親機２ａ〜２ｎと同様の動作を行う副親機モードとで、映像信号の信号経路を切り替える親機／副親機切替回路１８を備えている。なお親機１が親機モードで動作する場合、親機１は、同じ世帯の子器（ドアホン子器３及びカメラ子器４）から入力された映像信号を、副親機接続端子Ｔ２を介して同じ世帯の副親機２ａ〜２ｎと他世帯の親機１とに出力する。また親機１が副親機モードで動作する場合、親機１は、他世帯の親機１より副親機接続端子Ｔ２を介して入力された映像信号（他世帯の子器の映像信号）を映像変復調回路１３に出力させ、他世帯の子器で撮影された映像をモニタ１２に表示させるようになっている。
【００３２】
ここで、親機／副親機切替回路１８は、多重分離回路１６ｂと映像変復調回路１３との間の電路の途中に設けられたバッファ回路ＢＵＦ１と、多重分離回路１６ｄと映像変復調回路１３との間の電路の途中に互いに逆極性に接続されたバッファ回路ＢＵＦ２，ＢＵＦ３と、各バッファ回路ＢＵＦ１〜ＢＵＦ３のオン／オフを切り替える映像変復調回路１３及び制御部１７で構成される。
【００３３】
バッファ回路ＢＵＦ１〜ＢＵＦ３は映像変復調回路１３によってオン／オフが制御されており、制御部１７から親機モードへの切替信号が映像変復調回路１３に入力されると、映像変復調回路１３がバッファ回路ＢＵＦ１，ＢＵＦ２をオン、バッファ回路ＢＵＦ３をオフさせて、多重分離回路１６ｂで分離された同じ世帯の子器からの映像信号が映像変復調回路１３に入力されるとともに、この映像信号が多重分離回路１６ｄにより再び多重化されて、副親機接続端子Ｔ２から出力されるようになっている。また、制御部１７から副親機モードへの切替信号が映像変復調回路１３に入力されると、映像変復調回路１３がバッファ回路ＢＵＦ１，ＢＵＦ２をオフ、バッファ回路ＢＵＦ３をオンさせており、他世帯の親機１から副親機接続端子Ｔ２を介して入力された伝送信号より多重分離回路１６ｄによって分離された映像信号（他世帯の子器の映像信号）が映像変復調回路１３に入力されるようになっている。
【００３４】
また親機１は、他世帯の親機１との間で信号の授受を可能にする二世帯モード、又は、他世帯の親機１との間で信号の授受を遮断する独立世帯モードの何れかに切り替えるための通信モード切替回路１９を備えている。通信モード切替回路１９は、他世帯の親機１が接続される副親機接続端子Ｔ２ａと同じ世帯の副親機２ａ〜２ｎが接続される端子Ｔ２ｂとの間に接続された内線スイッチＳＷ１、及び、この内線スイッチＳＷ１のオン／オフを切り替える制御部１７から構成される。ここで、操作部１４によって二世帯モードが選択されると、制御部１７が、操作部１４からの選択操作に応じて内線スイッチＳＷ１をオンさせ、他世帯の親機１との間で信号の授受を可能にする。一方、操作部１４によって独立世帯モードが選択されると、制御部１７が、操作部１４からの選択操作に応じて動作モードを独立世帯モードに切り替えるのであるが、ドアホン子器３からのドアホン呼出及びカメラ子器４による環境変化の検知入力が無い場合は、他世帯の親機１との間で制御信号の授受が行えるように内線スイッチＳＷ１をオンさせ、ドアホン子器３からのドアホン呼出又はカメラ子器４による環境変化の検知入力があると、図５に示すように内線スイッチＳＷ１をオフさせて、他世帯の親機１との間での信号の授受を遮断する。
【００３５】
本実施形態のインターホンシステムは以上のような構成を有しており、このインターホンシステムの動作を図３及び図４の状態遷移図に基づいて説明する。先ず、各世帯Ａ１，Ａ２の親機１が、操作部１４の操作に応じて独立世帯モードに切り替えられた場合の動作を図３に基づいて説明する。
【００３６】
親世帯Ａ１の家人が、親機１の操作部１４を用いて動作モードを独立世帯モードに切り替える操作を行うと（図３の処理Ｓ１）、親機１の制御部１７が操作部１４からの操作入力に基づいて動作モードを独立世帯モードに切り替える（処理Ｓ２）。また子世帯Ａ２においても、親機１の動作モードが独立世帯モードに切り替えられているものとする（処理Ｓ３）。なお各世帯Ａ１，Ａ２の親機１の制御部１７は、独立世帯モードで動作中は親機／副親機切替回路１８により動作モードを親機モードに切り換えている。また制御部１７では、各世帯のドアホン子器３からの呼出又はカメラ子器４による環境変化の検知入力が無い間は内線スイッチＳＷ１をオンさせて、他世帯の親機との間で制御信号の授受を可能にしている。
【００３７】
その後、子世帯Ａ２に来訪者があり、来訪者がドアホン子器３の呼出釦３ａを押し操作すると（処理Ｓ４）、ドアホン子器３が信号線Ｌｓ１の線間電圧を、待機給電状態よりも低い電圧に低下させることで親機１に呼出信号を伝送する（処理Ｓ５）。親機１では、呼出信号受信回路１５が信号線Ｌｓ１の線間電圧をモニタすることによって呼出信号を検出しており、呼出信号を受信して制御部１７に出力すると、制御部１７が内線スイッチＳＷ１をオフして他世帯間での信号（映像信号、音声信号、制御信号）の授受を遮断するとともに（処理Ｓ６）、制御部１７が信号線Ｌｓ１への給電電圧を待機給電状態から動作給電状態に移行させ、ドアホン子器３によりカメラを起動させる。このとき、制御部１７では、制御・音声変復調回路１１によりスピーカ１０ｂから呼出信号を鳴動させるとともに、呼出信号を鳴動させるための制御信号を多重分離回路１６ｃに出力させ、制御信号を周波数多重化させて副親機２ａ〜２ｎに送信させることで、副親機２ａ〜２ｎからも呼出音を鳴動させている。また制御部１７では、制御・音声変復調回路１１からドアホン子器３及びカメラ子器４にタイムスロットを割り当てる制御信号を出力させ、この制御信号を多重分離回路１６ａが多重化して送信することによって、ドアホン子器３との間で同期をとっており（処理Ｓ７）、ドアホン子器３が自器に割り当てられたタイムスロットで映像信号を返送すると（処理Ｓ８）、多重分離回路１６ｂで分離された映像信号を、映像変復調回路１３が復調して元の映像を再構成することによって、子器の映像がモニタ１２に表示される。また親機１の多重分離回路１６ｂで分離された映像信号は、バッファ回路ＢＵＦ２を介して多重分離回路１６ｄに送られ、多重分離回路１６ｄで再び多重化されて副親機２ａ〜２ｎに出力されるので、副親機２ａ〜２ｎのモニタにも子器の映像を表示させることができる。その後、親機１又は副親機２ａ〜２ｎで応答釦が押し操作されると、親機１又は副親機２ａ〜２ｎとドアホン子器３との間で通話路が形成され、ドアホン通話が行われる。そして、親機１又は副親機２ａ〜２ｎとドアホン子器３との間の通話が終了すると（処理Ｓ１０）、制御部１７は内線スイッチＳＷ１をオンさせて、各世帯Ａ１，Ａ２の親機１の間で制御信号の送受を可能にしている。なお親世帯Ａ１に来訪者があり、親世帯Ａ１のドアホン子器３と親機１との間でドアホン通話を行う際の処理（Ｓ１２〜Ｓ１８）は、上述した子世帯Ａ２での通話処理（Ｓ４〜Ｓ１１）と同様であるので、詳細な説明は省略する。
【００３８】
このように本システムでは、独立世帯モードで動作中にドアホン子器３からの呼出及びカメラ子器４による環境変化の検知が無い場合は、親機１の制御部１７が内線スイッチＳＷ１をオンさせているので、各世帯の親機１の間で制御信号の授受が可能になり、独立世帯モードで動作中にドアホン子器３からの呼出又はカメラ子器４による環境変化の検知があると、親機１の制御部１７が内線スイッチＳＷ１をオフさせているので、同じ世帯のドアホン子器３又はカメラ子器４で撮影された映像が他世帯の親機１に出力されるのを防止でき、世帯間のプライバシーを確保することができる。
【００３９】
次に、各世帯Ａ１，Ａ２の親機１が二世帯モードに切り替えられた場合の動作について図４を参照して説明する。
【００４０】
親世帯Ａ１の家人が、親機１の操作部１４を用いて動作モードを二世帯モードに切り替える操作を行うと（図４の処理Ｓ２１）、親機１の制御部１７が操作部１４からの操作入力に基づいて自機の動作モードを二世帯モードに切り替えるとともに（処理Ｓ２２）、制御・音声変復調回路１１から多重分離回路１６ｃに動作モードを二世帯モードに切り替える制御信号を出力させ、この制御信号（切替信号）を多重分離回路１６ｃにより周波数多重化して子世帯Ａ２の親機１へ出力させている（処理Ｓ２３）。この時、子世帯Ａ２の親機１では、多重分離回路１６ｃが親世帯Ａ１から送られた伝送信号より制御信号を分離して、この制御信号を制御・音声変復調回路１１に出力しており、制御部１７は復調された制御信号をもとに動作モードを二世帯モードに切り替える（処理Ｓ２４）。尚、各親機１，１は二世帯モードに切り替わった状態でも親機モードで動作しており、各親機１，１は独立して動作している。
【００４１】
親世帯Ａ１及び子世帯Ａ２の親機１がそれぞれ二世帯モードに切り替えられると、各親機１の制御部１７は内線スイッチＳＷ１を常時オンにし、初期状態（二世帯モードに切り替えた当初）では動作モードを親機モードに設定する。この状態で親世帯Ａ１に来訪者があり、来訪者がドアホン子器３の呼出釦３ａを押し操作すると（処理Ｓ２５）、ドアホン子器３が信号線Ｌｓ１の線間電圧を、待機給電状態よりも低い電圧に低下させることで親機１に呼出信号（図６（ａ）のＣ１）を伝送する（処理Ｓ２６）。親機１では、呼出信号受信回路１５が信号線Ｌｓ１の線間電圧をモニタすることによって呼出信号Ｃ１を検出しており、呼出信号Ｃ１を受信して制御部１７に出力すると、制御部１７が信号線Ｌｓ１への給電電圧を待機給電状態から動作給電状態に移行させ、ドアホン子器３によりカメラを起動させるとともに、制御・音声変復調回路１１によりスピーカ１０ｂから呼出信号を鳴動させる。また制御部１７は、呼出信号を鳴動させるための制御信号を多重分離回路１６ｃに出力させ、多重分離回路１６ｃにより周波数多重化して副親機２ａ〜２ｎ及び子世帯Ａ２の親機１に送信しており、副親機２ａ〜２ｎ及び他世帯の親機１並びに副親機２ａ〜２ｎからも呼出音を鳴動させている。また更に、制御部１７では、子世帯Ａ２の親機１を副親機モードに切り替える制御信号（切替信号）を制御・音声変復調回路１１から出力させている。図６（ａ）に示すように上記の切替信号Ｃ２は多重分離回路１６ｃによって周波数多重化され、副親機接続端子Ｔ２を介して子世帯Ａ２の親機１に送信されており（処理Ｓ２７）、この制御信号を受けて子世帯Ａ２の親機１は動作モードを親機モードから副親機モードに切り替え、バッファ回路ＢＵＦ１，ＢＵＦ２をオフ、バッファ回路ＢＵＦ３をオンさせている（処理Ｓ２８）。
【００４２】
その後、親世帯側の親機１の制御部１７では、制御・音声変復調回路１１からドアホン子器３及びカメラ子器４にタイムスロットを割り当てる制御信号を出力させ、この制御信号を多重分離回路１６ａが多重化して送信することによって、ドアホン子器３との間で同期をとっており（処理Ｓ２９）、ドアホン子器３が自器に割り当てられたタイムスロットで映像信号を返送すると（処理Ｓ３０）、多重分離回路１６ｂで分離された映像信号がバッファ回路ＢＵＦ１を介して映像変復調回路１３に入力され、映像変復調回路１３が映像信号を復調して元の映像を再構成することによって、子器の映像がモニタ１２に表示される。また親機の多重分離回路１６ｂで分離された映像信号は、バッファ回路ＢＵＦ１，ＢＵＦ２を介して多重分離回路１６ｄに入力され、多重分離回路１６ｄによって再び多重化された後、副親機接続端子Ｔ２ａ，Ｔ２ｂを介して同じ世帯の副親機２ａ〜２ｎと他世帯の親機１に送られる（処理Ｓ３１）。而して同じ世帯の副親機２ａ〜２ｎにも子器の映像を表示させることができ、また子世帯側の親機１では、副親機接続端子Ｔ２を介して入力された伝送信号から多重分離回路１６ｄによって映像信号が分離され、バッファ回路ＢＵＦ３を介して映像変復調回路１３に入力されるので、子世帯側の親機１にも子器の映像を表示させることができる。また処理Ｓ３１において、親世帯Ａ１の親機１から子世帯Ａ２の親機１の副親機接続端子Ｔ２へ親世帯Ａ１のドアホン子器３から出力された映像信号が入力されると、この映像信号は副親機接続端子Ｔ２に接続された副親機２ａ〜２ｎに送信されるので（処理Ｓ３２）、子世帯Ａ２の副親機２ａ〜２ｎにも親世帯Ａ１のドアホン子器の映像を表示させることができる。
【００４３】
ここで、子世帯Ａ２の家人が呼出音を聞いて副親機の応答釦を押し操作すると、親世帯Ａ１のドアホン子器３と子世帯Ａ２の副親機２ａとの間に、親世帯Ａ１の親機１と子世帯Ａ２の親機１とを介して通話路（図６（ａ）のＢ１）が形成され、ドアホン子器３と子世帯Ａ２の副親機２ａとの間でドアホン通話が行われる（処理Ｓ３３）。
【００４４】
その後、子世帯Ａ２の副親機２ａで通話の終了操作が行われると（処理Ｓ３４）、副親機２ａは通話を終了して待機状態に移行するとともに（処理Ｓ３５）、子世帯Ａ２の親機１に対して通話終了を報知する制御信号を出力する（処理Ｓ３６）。子世帯Ａ２の親機１では、副親機２ａから出力された制御信号が副親機接続端子Ｔ２を介して多重分離回路１６ｃに入力され、多重分離回路１６ｃによって周波数分離された後、制御・音声変復調回路１１により復調されて制御部１７に入力されており、制御部１７は内線通話の終了を受けて動作モードを親機モードに切り換え、バッファ回路ＢＵＦ１，ＢＵＦ２をオン、バッファ回路ＢＵＦ３をオフさせるとともに（処理Ｓ３７）、待機状態に移行する（処理Ｓ３８）。また子世帯Ａ２の副親機２ａから親機１へ送出された制御信号は、親機１の副親機接続端子Ｔ２を経由して親世帯Ａ１の親機１にも入力され（処理Ｓ３９）、親機１の多重分離回路１６ｃによって制御信号が周波数分離された後、制御・音声変復調回路１１により復調されて制御部１７に入力されており、制御部１７は内線通話の終了処理を受けて、待機モードに移行するとともに（処理Ｓ４０）、ドアホン子器３への給電状態を待機給電状態に切り替えており（処理Ｓ４１）、ドアホン子器３ではカメラを停止させて待機状態に移行する（処理Ｓ４２）。尚、本実施形態では子世帯Ａ２の親機１は、副親機モードに移行した後、自世帯の副親機２ａ〜２ｎからの通話終了を報知する制御信号又は自機による通話応答の終了動作を受けて、副親機モードから親機モードへと自動的に切り替えているが、親世帯Ａ１の親機１が、通話終了を報知する制御信号を受信すると、子世帯Ａ２の親機１に対して副親機モードから親機モードへ移行させる制御信号を送信し、この制御信号を受けて子世帯Ａ２の親機１が動作モードを親機モードに切り換えるようにしても良い。
【００４５】
ところで、上記の説明では親世帯Ａ１の親機１が二世帯モードに切り替えられた状態で、親世帯Ａ１のドアホン子器３から呼出があった場合について説明を行ったが、図６（ｂ）に示すように各世帯Ａ１，Ａ２が独立世帯モードで動作中に子世帯Ａ２の親機１が二世帯モードに切り替えられた状態で、子世帯Ａ２のドアホン子器３の呼出釦が押操作されて、ドアホン子器３からの呼出信号Ｃ３が親機１に入力されると、親機１は親世帯Ａ１の親機１に対して動作モードを副親機モードに切り替える制御信号Ｃ４（切替信号）を送信しており、この制御信号Ｃ４を受けて親世帯Ａ１の親機１が動作モードを親機モードから副親機モードに切り替える。その後、親世帯Ａ１の親機１又は副親機２ａ〜２ｎで応答釦が押されると、子世帯Ａ２のドアホン子器３と親世帯Ａ１の親機１又は副親機２ａ〜２ｎとの間で通話路Ｂ２が形成されて、内線通話が行われる。そして、内線応答が終了すると、親世帯Ａ１の親機１では、自世帯の副親機２ａ〜２ｎからの通話終了を報知する制御信号又は自機による通話応答の終了処理を受けて、副親機モードから親機モードへと自動的に切り替えるか、或いは、通話終了時に子世帯Ａ２の親機１から親機モードへの切替信号を親世帯Ａ１の親機１に送出させ、この切替信号を受けて親世帯Ａ１の親機１が動作モードを親機モードに切り換える。
【００４６】
以上のように本システムでは、二世帯モードに切り替えられると、内線スイッチＳＷ１をオンにしているので、２つの世帯Ａ１，Ａ２間で信号（音声信号、映像信号、制御信号）の授受を行うことができる。また各世帯Ａ１，Ａ２の親機１では、他世帯の親機１を接続する端子を副親機接続端子Ｔ２で兼用しており、二世帯モードにおいて親機１の動作モードが親機モードに設定された場合、親機１では、同じ世帯のドアホン子器３又はカメラ子器４から入力される映像信号を、副親機接続端子Ｔ２を介して他世帯の親機１および同じ世帯の副親機２ａ〜２ｎに出力しているので、他世帯の親機１や副親機２ａ〜２ｎに映像信号を出力することが可能になる。また、二世帯モードにおいて親機１の動作モードが副親機モードに設定された場合、親機１では、他世帯の親機１から副親機接続端子Ｔ２を介して入力された伝送信号より多重分離回路１６ｄが映像信号を分離し、この映像信号を映像変復調回路１３に入力させているので、他世帯のドアホン子器３又はカメラ子器４で撮影された映像をモニタ１２に表示させることができる。
【００４７】
このように、各世帯Ａ１，Ａ２の親機１で他世帯のドアホン子器３からの呼出に応答するためには、親機１内で子器からの映像信号を副親機接続端子Ｔ２に出力する信号経路に加えて、副親機接続端子Ｔ２に入力された映像信号を映像変復調回路１３に出力する信号経路を設ける必要が有り、図７及び図８に示した従来のインターホンシステムでは、専用の多重分離回路２１，２２を備えた世帯間通話回路２０を設けているため、回路規模が大きくなって、コスト高を招いていた。それに対して、本実施形態では副親機接続端子Ｔ２を他世帯の親機１の接続端子として兼用し、３つのバッファ回路ＢＵＦ１〜ＢＵＦ３とそのオン／オフを切り替える映像変復調回路１３及び制御部１７からなる切替回路１８で、子器からの映像信号を多重分離回路１６ｄに出力する信号経路と、多重分離回路１６ｄで分離された映像信号を映像変復調回路１３に出力する信号経路とを切り替えているので、回路規模の大規模化を招くことなく、世帯間の通話が可能なるため、インターホン親機１の小型化及び低コスト化を図った二世帯住宅用のインターホンシステムを実現できる。
【００４８】
また本システムでは、何れかの世帯（親世帯又は子世帯）の親機１で二世帯モードが選択されると、他世帯（子世帯又は親世帯）の親機１のモードも二世帯モードに切り替えられるから、家を留守にする際に自宅の親機１で二世帯モードに切り替える操作を行えば、親子２世帯の親機１を両方共に二世帯モードで動作させることができ、留守中に来訪者があった場合は在宅中の世帯で応答することができるから、利便性が向上するという利点がある。
【図面の簡単な説明】
【００４９】
【図１】実施形態１のインターホンシステムの概略的なブロック図である。
【図２】同上のシステム構成図である。
【図３】同上の独立世帯モードでの動作を説明する状態遷移図である。
【図４】同上の二世帯モードでの動作を説明する状態遷移図である。
【図５】同上の独立世帯モード時の回路状態を説明するブロック図である。
【図６】（ａ）（ｂ）は同上の応答動作を説明する説明図である。
【図７】従来の二世帯住宅用インターホンシステムのシステム構成図である。
【図８】同上の概略的なブロック図である。
【符号の説明】
【００５０】
１  インターホン親機
２ａ〜２ｎ  インターホン副親機
３  ドアホン子器（カメラ付きドアホン）
４  カメラ子器
１０ａ  マイク（通話手段）
１０ｂ  スピーカ（通話手段）
１１  制御・音声変復調回路（通話手段）
１２  モニタ
１３  映像変復調回路（映像復調手段）
１８  親機／副親機切替回路（親機／副親機切替手段）
Ａ１  親世帯
Ａ２  子世帯
Ｔ１  子器接続端子
Ｔ２  副親機接続端子
ＢＵＦ１〜３  バッファ回路
【図１】
0005081073.tif 000002
【図２】
0005081073.tif 000003
【図３】
0005081073.tif 000004
【図４】
0005081073.tif 000005
【図５】
0005081073.tif 000006
【図６】
0005081073.tif 000007
【図７】
0005081073.tif 000008
【図８】
0005081073.tif 000009